(57)【特許請求の範囲】
【請求項１】
レンズ体が保持されるレンズ保持部材と、
前記レンズ保持部材を光軸方向に移動可能に支持する板バネと、
前記板バネを固定すると共に、前記板バネと電気的導通を図る外部端子を設けたベース部材とを備え、
前記板バネには、前記外部端子に向って延在すると共に当該外部端子の上に位置する接合片が形成されており、
前記接合片の基端側には、前記ベース部材に固定される固定位置が設けられ、前記接合片の先端側には前記ベース部材側に押圧可能な先端領域が設けられ、前記固定位置と前記先端領域との間に、前記接合片が前記外部端子に密着状態で接合される接合位置が設けられ、
前記接合片の前記固定位置より先端側には、前記外部端子の上に位置して開口部または切欠部が形成されており、
前記接合片には、前記開口部または切欠部における内縁部に前記接合位置が設けられることを特徴とするレンズ駆動装置。
【請求項２】
前記接合位置は、前記開口部または切欠部の基端側における内縁部に設けられることを特徴とする請求項１に記載のレンズ駆動装置。
【請求項３】
前記接合片の前記固定位置は、熱カシメにより前記ベース部材に固定されることを特徴とする請求項１または請求項２に記載のレンズ駆動装置。
【請求項４】
前記接合片の前記接合位置は、レーザ溶接により前記外部端子に接合されることを特徴とする請求項１から請求項３のいずれかに記載のレンズ駆動装置。
【請求項５】
前記接合片の前記先端領域は、治具により前記ベース部材に押し当てられることを特徴とする請求項１から請求項４のいずれかに記載のレンズ駆動装置。
【請求項６】
レンズ体が保持されるレンズ保持部材を板バネにより光軸方向に移動可能に支持させ、外部端子をベース部材に設けたレンズ駆動装置の製造方法であって、
前記外部端子に向って延在すると共に当該外部端子の上に位置するように前記板バネに形成された接合片の基端側に固定位置を設け、前記固定位置を前記ベース部材に固定する工程と、
前記接合片の先端側の先端領域と前記固定位置との間に、前記接合片が前記外部端子に接合される接合位置を設け、前記先端領域に設けられた押圧位置を前記ベース部材側に押圧すると共に、前記接合位置を前記外部端子に密着状態で接合する工程とを有し、
前記接合位置を前記外部端子に接合する工程は、前記接合片の前記固定位置より先端側に形成された開口部または切欠部の内縁部に前記接合位置が設けられることを特徴とするレンズ駆動装置の製造方法。
【請求項７】
前記接合位置は前記開口部または切欠部の基端側の内縁部に設けられることを特徴とする請求項６に記載のレンズ駆動装置の製造方法。
【請求項８】
前記固定位置を前記ベース部材に固定する工程は、前記固定位置を熱カシメにより前記ベース部材に固定することを特徴とする請求項６または請求項７に記載のレンズ駆動装置の製造方法。
【請求項９】
前記接合位置を前記外部端子に接合する工程は、前記押圧位置を治具により前記ベース部材に押し当てることを特徴とする請求項６から請求項８のいずれかに記載のレンズ駆動装置の製造方法。
【請求項１０】
前記接合位置を前記外部端子に接合する工程は、前記接合位置をレーザ溶接により前記外部端子に接合することを特徴とする請求項６から請求項９のいずれかに記載のレンズ駆動装置の製造方法。
【発明の詳細な説明】
【技術分野】
【０００１】
本発明は、カメラ付きの携帯電話等に搭載される小型のレンズ駆動装置及びレンズ駆動装置の製造方法に関する。
【背景技術】
【０００２】
従来、小型のレンズ駆動装置として、レンズが保持されたレンズ保持部材を光軸方向に磁気駆動するものが知られている（例えば、特許文献１参照）。特許文献１に記載のレンズ駆動装置では、外周面にコイルを巻回したレンズ保持部材をベース部材に載置し、上方からヨークを被せることで構成される。ヨークの各側壁部の内側面には、それぞれ磁石が固定されており、レンズ保持部材に保持されたコイルの周囲に磁石が位置付けられている。そして、レンズ駆動装置は、ヨークと磁石とによって磁気回路を形成し、コイルの通電によって生じる電磁力によりレンズ保持部材を光軸方向に移動させている。
【０００３】
また、ベース部材とレンズ保持部材との間には、レンズ保持部材を復帰させる板バネが配置されている。板バネは、一対のバネ片に分割されており、一方のバネ片にコイルの巻き始めの一端部が接続され、他方のバネ片にコイルの巻き終わりの他端部が接続されている。また、各バネ片は、それぞれベース部材に固定された外部端子に溶接される。このように、バネ片は、コイルと外部端子とを接続することで、コイルを通電させるための給電部材としても機能する。
【先行技術文献】
【特許文献】
【０００４】
【特許文献１】特開２０１０−０６１０３１号公報
【発明の概要】
【発明が解決しようとする課題】
【０００５】
しかしながら、このように構成されたレンズ駆動装置では、外部端子に対する板バネの溶接時に板バネが外部端子の設置面から浮く場合があり、板バネを外部端子に対して確実に接合することが困難となっていた。
【０００６】
本発明はこのような実情に鑑みてなされたものであり、外部端子に対して板バネを確実に接合することができるレンズ駆動装置及びレンズ駆動装置の製造方法を提供することを目的とする。
【課題を解決するための手段】
【０００７】
本発明のレンズ駆動装置は、レンズ体が保持されるレンズ保持部材と、前記レンズ保持部材を光軸方向に移動可能に支持する板バネと、前記板バネを固定すると共に、前記板バネと電気的導通を図る外部端子を設けたベース部材とを備え、前記板バネには、前記外部端子に向って延在すると共に当該外部端子の上に位置する接合片が形成されており、前記接合片の基端側には、前記ベース部材に固定される固定位置が設けられ、前記接合片の先端側には前記ベース部材側に押圧可能な先端領域が設けられ、前記固定位置と前記先端領域との間に、前記接合片が前記外部端子に密着状態で接合される接合位置が設けられ、前記接合片の前記固定位置より先端側には、前記外部端子の上に位置して開口部または切欠部が形成されており、前記接合片には、前記開口部または切欠部における内縁部に前記接合位置が設けられることを特徴とする。
【０００８】
本発明のレンズ駆動装置の製造方法は、レンズ体が保持されるレンズ保持部材を板バネにより光軸方向に移動可能に支持させ、外部端子をベース部材に設けたレンズ駆動装置の製造方法であって、前記外部端子に向って延在すると共に当該外部端子の上に位置するように前記板バネに形成された接合片の基端側に固定位置を設け、前記固定位置を前記ベース部材に固定する工程と、前記接合片の先端側の先端領域と前記固定位置との間に、前記接合片が前記外部端子に接合される接合位置を設け、前記先端領域に設けられた押圧位置を前記ベース部材側に押圧すると共に、前記接合位置を前記外部端子に密着状態で接合する工程とを有し、前記接合位置を前記外部端子に接合する工程は、前記接合片の前記固定位置より先端側に形成された開口部または切欠部の内縁部に前記接合位置が設けられることを特徴とする。
【０００９】
これらの構成によれば、接合片における基端側に設けた固定位置と先端側に設けた押圧位置との間に接合位置が設けられるため、外部端子に対する接合片の接合位置の浮きを防止できる。よって、接合片を外部端子に対して密着させることができ、板バネと外部端子とを確実に接合することができる。
【００１０】
また本発明は、上記レンズ駆動装置において、前記接合片の先端側には、開口部が形成されており、前記接合片には、前記開口部において対向する内縁部のうち、基端側の内縁部に前記接合位置が設けられ、先端側の内縁部に沿う領域に前記押圧位置が設けられることを特徴とする。また本発明は、上記レンズ駆動装置の製造方法において、前記接合位置を前記外部端子に接合する工程は、前記接合片の先端側に形成された開口部を挟んで対向する内縁部のうち、先端側の内縁部に沿う領域に前記押圧位置を設けると共に、基端側の内縁部に前記接合位置を設ける。これらの構成によれば、開口部を挟んで先端側の内縁部に沿う領域の１ヶ所を押圧することで、外部端子に対する接合片の接合位置の浮きを防止できる。よって、接合片の先端側を切り欠いて二股に形成する場合のように、接合片の先端側の２ヶ所を押圧する必要がない。
また、上記レンズ駆動装置において、前記接合位置は、前記開口部または切欠部の基端側における内縁部に設けられる。また、上記レンズ駆動装置の製造方法において、前記接合位置は前記開口部または切欠部の基端側の内縁部に設けられる。
【００１１】
また本発明は、上記レンズ駆動装置において、前記接合片の前記固定位置は、熱カシメにより前記ベース部材に固定される。また本発明は、上記レンズ駆動装置の製造方法において、前記固定位置を前記ベース部材に固定する工程は、前記固定位置を熱カシメにより前記ベース部材に固定する。これらの構成によれば、接合片の固定位置をベース部材に対して強く固定することができる。
【００１２】
また本発明は、上記レンズ駆動装置において、前記接合片の前記押圧位置は、治具により前記ベース部材に押し当てられる。また本発明は、上記レンズ駆動装置の製造方法において、前記接合位置を前記外部端子に接合する工程は、前記押圧位置を治具により前記ベース部材に押し当てる。これらの構成によれば、治具を用いて接合片の押圧位置をベース部材に押し当てることにより、レンズ駆動装置の製造の自動化を図ることができる。
【００１３】
また本発明は、上記レンズ駆動装置において、前記接合片の前記接合位置は、レーザ溶接により前記外部端子に接合される。また本発明は、上記レンズ駆動装置の製造方法において、前記接合位置を前記外部端子に接合する工程は、前記接合位置をレーザ溶接により前記外部端子に接合する。これらの構成によれば、半田ボール等の異物を発生させることなく、接合片を外部端子に接合することができる。よって、レンズ駆動装置内への異物の侵入を抑制することができる。
【発明の効果】
【００１４】
本発明によれば、板バネに設けた接合片の外部端子に対する浮きを防止して、外部端子に対して板バネを確実に接合することができる。
【図面の簡単な説明】
【００１５】
【図１】本発明に係るレンズ駆動装置の実施の全体斜視図である。
【図２】本実施の形態に係るレンズ駆動装置の分解斜視図である。
【図３】本実施の形態に係るロアケース及びバネ片の上面模式図である。
【図４】本実施の形態に係る下板バネと外部端子との接合方法の説明図である。
【図５】本実施の形態に係るレンズ駆動装置の組み立て作業の前半の説明図である。
【図６】本実施の形態に係るレンズ駆動装置の組み立て作業の後半の説明図である。
【図７】本実施の形態に係るレンズ駆動装置の動作説明図である。
【図８】本実施の形態に係る固定片の変形例である。
【発明を実施するための形態】
【００１６】
以下、本発明の実施の形態について添付図面を参照して詳細に説明する。なお、以下のレンズ駆動装置は一例であり、これに限定されるものではない。レンズ駆動装置において、板バネと外部端子とを電気的導通を図るものであれば、本発明を適用可能である。
【００１７】
図１は、本実施の形態に係るレンズ駆動装置の全体斜視図である。図２は、本実施の形態に係るレンズ駆動装置の分解斜視図である。
【００１８】
図１及び図２に示すように、レンズ駆動装置１は、イメージセンサ（不図示）を実装した基板上に取り付けられており、イメージセンサに対してレンズ体（不図示）を光軸方向に駆動させて焦点距離を調整するものである。レンズ駆動装置１においては、外部端子３１が埋設されたロアケース２（ベース部材）上に、下板バネ４（板バネ）を介してレンズ保持部材５が取り付けられている。レンズ保持部材５の周囲には、コイル５９が巻回されており、このコイル５９を覆うように磁石６付きのヨーク７がロアケース２に固定される。ヨーク７の上面には、上板バネ８を介してトップカバー９が取り付けられる。
【００１９】
ロアケース２は、合成樹脂によって上面視において略矩形枠状に形成されている。ロアケース２の中央には、円形の開口部２１が形成されており、この開口部２１を介して基板上のイメージセンサを上方に露出させている。ロアケース２の４隅には、下板バネ４の固定用の突起部２４が形成されている。突起部２４により、ロアケース２上において下板バネ４が前後左右に位置決めされた状態で取り付けられる。
【００２０】
また、ロアケース２には、導電性の金属プレート２５がインサート成形されている。金属プレート２５は、ロアケース２の４隅において露出され、ヨーク７の４隅に電気的に接続される。また、ロアケース２の隣接する２隅近傍には、一対の外部端子３１がインサート成形されている。一対の外部端子３１は、導電性の金属板を折り曲げて形成され、上板部３２がロアケース２の上面から露出され、側板部３３がロアケース２の下面から突出されている。ロアケース２から露出した一対の外部端子３１の上板部３２は、下板バネ４に電気的に接続される。なお、金属プレート２５と外部端子３１とは電気的に接続されていない。
【００２１】
下板バネ４は、導電性のリン青銅等によって形成され、一対のバネ片４１により構成されている。一対のバネ片４１は、ロアケース２の開口部２１に沿うように中央に開口を形成するように配置される。各バネ片４１は、径方向外側に位置する外側板部４２と、径方向内側に位置する内側板部４３と、外側板部４２及び内側板部４３を接続する蛇行形状のバネ板部４４とを有している。外側板部４２には、ロアケース２の突起部２４に対応して挿通孔４６が形成され、内側板部４３には、レンズ保持部材５の突起部５６（図５Ｄ参照）に対応して挿通孔４５が形成されている。
【００２２】
外側板部４２は、挿通孔４６からロアケース２の突起部２４を突出させて、突起部２４の熱カシメによりロアケース２に固定される。内側板部４３は挿通孔４５からレンズ保持部材５の突起部５６を突出させて、突起部５６の熱カシメによりレンズ保持部材５に固定される。このように、ロアケース２とレンズ保持部材５は、下板バネ４を介して連結される。また、各バネ片４１のバネ板部４４は、レンズ保持部材５に対してロアケース２側に向けて付勢力を作用させている。また、一対のバネ片４１は、それぞれ一対の外部端子３１に電気的に接合されると共に、コイル５９の端部に電気的に接合されている。
【００２３】
レンズ保持部材５は、合成樹脂により形成され、内周面に雌ねじ部５１が形成された筒状部５２と、筒状部５２の下端部から径方向外側に突出したフランジ部５３とを有している。筒状部５２の内側には、外周面に雄ねじ部が形成されたレンズユニット（不図示）が装着される。筒状部５２の外周面には、コイル５９を内側から支持する４つのコイル支持部５４が突出して形成されている。筒状部５２に設けたコイル支持部５４に、導線が巻回されることで筒状のコイル５９が形成される。この場合、コイル５９と筒状部５２との間には、後述するヨーク７の内壁部７４が介在する隙間が形成されている。
【００２４】
レンズ保持部材５の下部には、下板バネ４の固定用の複数の突起部５６と、コイル５９の両端部が巻きつけられる一対の絡げピン５７とが形成されている（図５Ｄ参照）。コイル５９の一端部は、一方の絡げピン５７に巻き付けられた状態で一方のバネ片４１に接合され、コイル５９の他端部は、他方の絡げピン５７に巻き付けられた状態で他方のバネ片４１に接合されている。また、レンズ保持部材５の下部には、ロアケース２に当接される４つの脚部５８が形成されている。
【００２５】
ヨーク７は、下面を開口した箱型であり、上壁部７１にレンズ保持部材５の筒状部５２を露出する窓部７２が形成されている。また、ヨーク７には、上面視矩形状の外周壁部７３の四隅に対して間隔を空けて対向する４つの内壁部７４が形成されている。各内壁部７４は、コイル５９と筒状部５２との隙間に挿通される。外周壁部７３の内周面の四隅には、それぞれ磁石６が取り付けられている。磁石６は、ヨーク７の角部に合わせて上面視略台形状に形成され、内壁部７４の壁面に対して平行な磁極面を有している。ヨーク７の四隅においては、磁石６と内壁部７４との間にコイル５９が配置される。
【００２６】
そして、ヨーク７と磁石６とにより磁気回路が形成され、コイル５９が通電されることにより、レンズ保持部材５が光軸方向に駆動される。また、ヨーク７の下部は、ロアケース２の金属プレート２５に接合される縁部７５が形成されている。ヨーク７の上壁部７１の四隅には、トップカバー９の取付用の挿通孔７６が形成されている。
【００２７】
上板バネ８は、リン青銅等によって形成され、ヨーク７の窓部７２よりも小径な開口部８１を有している。上板バネ８は、径方向外側に位置する外側板部８２と、径方向内側に位置する内側板部８３と、外側板部８２及び内側板部８３を接続する蛇行状のバネ板部８４とを有している。外側板部８２には、ヨーク７の挿通孔７６に対応して挿通孔８５が形成されている。また、内側板部８３は、筒状部５２の上端面に接着剤により固定される。上板バネ８のバネ板部８４は、レンズ保持部材５に対してロアケース２側に向けて付勢力を作用させている。
【００２８】
トップカバー９は、合成樹脂により矩形枠状に形成されている。トップカバー９の四隅には、下面から突出する上板バネ８の固定用の突起部９１が形成されている。トップカバー９は、上板バネ８の挿通孔８５及びヨーク７の挿通孔７６に突起部９１を挿通させた状態で、突起部９１の熱カシメにより、上板バネ８及びヨーク７と一体化される。なお、レンズ駆動装置１の組み立て作業の詳細については後述する。
【００２９】
ここで、図３及び図４を参照して、バネ片と外部端子との接合方法について説明する。図３は、本実施の形態に係るロアケース及びバネ片の上面模式図である。図４は、本実施の形態に係る下板バネと外部端子との接合方法の説明図である。なお、図４Ａ、Ｂは本実施の形態に係る板バネと外部端子との接合方法を示し、図４Ｃ、Ｄは比較例に係る板バネと外部端子との接合方法を示す。また、図３及び図４では説明の便宜上、バネ片に固定されたレンズ保持部材については省略している。
【００３０】
図３に示すように、一対のバネ片４１は、フープ材９３（枠体）に連結された状態で供給されており、ロアケース２に固定された後にフープ材９３から切り離される。一対のバネ片４１の外側板部４２は、ロアケース２の外側面に沿って延在する細長の直線部６６と、直線部６６の両端においてロアケース２に固定される一対の固定片６７とを有している。一対の固定片６７は、ロアケース２の対角線を横切るように斜めに延在しており、直線部６６側の略半部においてロアケース２の突起部２４に熱カシメによって固定されている。また、一対の固定片６７には、蛇行状のバネ板部４４を介して内側板部４３に連結されている。
【００３１】
また、各固定片６７は、ロアケース２の略対角線上に延在する繋ぎ部６９を介してフープ材９３に連結されている。片側の固定片６７の先端側は、開口部６８が形成されており、ロアケース２から露出された外部端子３１の上板部３２上に位置している。この固定片６７は、開口部６８の内縁部と外部端子３１との設置部分がレーザ溶接されることで、外部端子３１に電気的に接続される。すなわち、一方の固定片６７は、ロアケース２に対する固定位置から外部端子３１に向って延在し、外部端子３１に接合される接合片となっている。
【００３２】
より具体的には図４Ａ、Ｂに示すように、片側の固定片６７は、外部端子３１に向って斜めに延在し、基端側から先端側に向って固定位置Ｐ１、接合位置Ｐ２、押圧位置Ｐ３がそれぞれ設けられている。固定位置Ｐ１は、直線部６６に連なる基端側に位置している。固定位置Ｐ１では、熱カシメにより固定片６７の基端側がロアケース２に固定される。接合位置Ｐ２は、外部端子３１の上板部３２上において、開口部６８の対向する内縁部７７、７８のうち基端側の内縁部７７に位置している。接合位置Ｐ３では、レーザ溶接により固定片６７の先端側が上板部３２に接合される。
【００３３】
押圧位置Ｐ３は、外部端子３１の上板部３２上において、開口部６８の対向する内縁部７７、７８のうち先端側の内縁部７８に沿う細幅の先端領域７９に位置している。押圧位置Ｐ３では、金属製の治具９５により固定片６７の先端領域７９が上板部３２に押し付けられる。この固定片６７は、固定位置Ｐ１にてロアケース２に固定された後、押圧位置Ｐ３が治具９５で押えられた状態で、接合位置Ｐ２でレーザ溶接されることで上板部３２に接合される。このように、本実施の形態においては、接合位置Ｐ２を間に挟んで固定位置Ｐ１と押圧位置Ｐ３とで上板部３２に押し付けられることで、接合位置Ｐ２の浮きを抑えた状態で固定片６７を外部端子３１に接合している。このため、固定片６７の先端側が上板部３２に密着され、レーザ溶接によって固定片６７と外部端子３１とが確実に接合される。
【００３４】
ところで、半田付けにより接合すれば、固定片６７の先端側が浮く場合でも、上板部３２に半田ブリッジで接合することが可能である。しかしながら、半田付けにより接合する場合には、半田ペーストの溶け残りが発生したり、半田ボール等の異物が飛散したりするおそれがある。この場合には、異物がレンズ駆動装置内に入り込んで、イメージセンサにおいて異物が映り込むという問題がある。また、半田付けには半田ゴテを使用するため、小型のレンズ駆動装置に対応することができない。
【００３５】
本実施の形態では、レーザ溶接によって固定片６７と外部端子３１とを密着状態で接合することにより、溶接時に異物を発生することなく、小型のレンズ駆動装置に対応することが可能となっている。また、固定片６７の先端領域７９は、固定片６７の幅方向における略中間位置を治具９５により押圧可能としている。これにより、先端領域７９の長手方向における中間位置の１ヶ所を押圧するだけで、固定片６７を上板部３２の上面に対して均一に密着させることができる。
【００３６】
一方図４Ｃ、Ｄに示すように、比較例に係る固定片１０１は、先端側に開口部が形成されていない点において本実施の形態に係る固定片６７と相違する。固定片１０１は、外部端子１０２に向って斜めに延在し、基端側から先端側に向って固定位置Ｐ１、押圧位置Ｐ３、接合位置Ｐ２がそれぞれ設けられている。固定片１０１の固定位置Ｐ１は、直線部１０３に連なる基端側に位置しており、熱カシメによりロアケース１０４に固定される。固定片１０１の押圧位置Ｐ３は、固定位置Ｐ１と接合位置Ｐ２との間に位置しており、金属製の治具１０５によりロアケース１０４に押し付けられる。固定片１０１の接合位置Ｐ２は、先端に位置しており、レーザ溶接により上板部１０６に接合される。
【００３７】
この固定片１０１は、固定位置Ｐ１にてロアケース１０４に固定された後、押圧位置Ｐ３が治具１０５で押えられた状態で、接合位置Ｐ２でレーザ溶接される。このとき、押圧位置Ｐ３が固定片１０１の先端よりも基端側に位置するため、治具１０５の押し込みによって固定片１０１が反り返り、固定片１０１の先端側が上板部１０６に対して浮く場合がある。このように比較例に係る固定片１０１では、レーザ溶接により固定片１０１を上板部１０６に確実に接合することが困難となっている。
【００３８】
なお、本実施の形態では、固定位置Ｐ１、接合位置Ｐ２、押圧位置Ｐ３が略直線上に配置される構成としたが、この構成に限定されない。固定位置Ｐ１が固定片６７の基端側に位置され、押圧位置Ｐ３が固定片６７の先端側に位置され、接合位置Ｐ２が固定位置Ｐ１と押圧位置Ｐ３との間に位置されていればよい。
【００３９】
次に、図５を参照して、レンズ駆動装置の組み立て作業について説明する。図５は、本実施の形態に係るレンズ駆動装置の組み立て作業の前半の説明図である。図６は、本実施の形態に係るレンズ駆動装置の組み立て作業の後半の説明図である。なお、以下の組み立て作業は、自動機によって自動で実施可能な作業である。
【００４０】
図５Ａに示すように、接着剤によってヨーク７の四隅の角部にそれぞれ磁石６が固定される。このとき、磁石６の磁極面は、ヨーク７の内壁部７４の壁面に対して所定の間隔を空けて対向される（図７参照）。次に、図５Ｂに示すように、ヨーク７の上面に上板バネ８が載置され、上方からトップカバー９が取り付けられる。このとき、トップカバー９の四隅の突起部９１が、それぞれ上板バネ８の四隅の挿通孔８５及びヨーク７の四隅の挿通孔７６に挿通される。そして、トップカバー９の各突起部９１が熱カシメされることで、トップカバー９、上板バネ８及びヨーク７が一体化される。
【００４１】
一方、図５Ｃに示すように、レンズ保持部材５の外周には、コイル５９が巻きつけられる。レンズ保持部材５に巻き付けられたコイル５９の両端部は、一対の絡げピン５７に巻き付けられる。この場合、コイル５９の両端部は、レーザ等により絶縁被膜が除去された後に巻き付けられる。
【００４２】
次に、図５Ｄに示すように、レンズ保持部材５の下部に一対のバネ片４１が取り付けられる。一対のバネ片４１は、繋ぎ部６９を介してフープ材９３に繋がれた状態でレンズ保持部材５に供給される。このとき、レンズ保持部材５の突起部５６が、それぞれ一対のバネ片４１の挿通孔４５に挿通される。そして、レンズ保持部材５の突起部５６が熱カシメされることで、レンズ保持部材５と一対のバネ片４１とが一体化される。また、絡げピン５７に巻回されたコイル５９の端部と一対のバネ片４１の内側板部４３とがレーザ半田付けされる。これにより、一対のバネ片４１とコイル５９の両端部とが電気的に接続される。
【００４３】
図６Ａに示すように、ロアケース２上にはコイル５９付きのレンズ保持部材５が載置され、一対のバネ片４１を介してロアケース２とレンズ保持部材５が取り付けられる。このとき、一対のバネ片４１の挿通孔４６に、ロアケース２の突起部２４が挿通され、突起部２４が熱カシメされることで、ロアケース２とレンズ保持部材５とが一体化される。また、ロアケース２に対して一対のバネ片４１が固定されると、一対のバネ片４１の固定片６７がそれぞれ外部端子３１の上板部３２にレーザ溶接により接合される。
【００４４】
この場合、固定片６７の先端領域７９が治具９５によりロアケース２に押し付けられた状態で、開口部６８の基端側に位置する内縁部７７がレーザ溶接される（図４Ａ参照）。固定片６７の基端側がロアケース２に固定され、固定片６７の先端側がロアケース２に押し付けられているため、これらの間に位置する内縁部７７が上板部３２に密着された状態でレーザ溶接される。これにより、固定片６７が外部端子３１に対して確実に接合され、一対の外部端子３１とコイル５９の両端部とが、一対のバネ片４１を介してコイル５９の両端部に電気的に接続される。
【００４５】
次に、図６Ｂに示すように、レーザカットにより一対のバネ片４１からフープ材９３が切り離される。このとき、レーザ光線は、ロアケース２の４隅に位置する繋ぎ部６９の根元部分に向けて照射される。繋ぎ部６９の根元部分がロアケース２上に露出された金属プレート２５に対向しているため、レーザ光線がロアケース２の樹脂成形部分に照射されることがない。
【００４６】
一対のバネ片４１からフープ材９３が切り離されると、図６Ｃに示すように、トップカバー９付きのヨーク７が上方から被せられる。このとき、ヨーク７の内壁部７４が、レンズ保持部材５のコイル５９と筒状部５２との隙間に挿通される。これにより、ヨーク７の四隅において、磁石６と内壁部７４との間に内壁部７４が介在されて磁気回路が形成される。また、ヨーク７の縁部７５が、ロアケース２の金属プレート２５上に載置され、レーザ溶接によりロアケース２の４隅に位置する金属プレート２５に接合される。
【００４７】
そして、図６Ｄに示すように、筒状部５２の上端面と上板バネ８の内側板部８３とに対して、ヨーク７の窓部７２を介して接着剤が塗布される。これにより、ヨーク７及びトップカバー９とレンズ保持部材５とが、上板バネ８を介して連結される。このようにして、組み立てられたレンズ駆動装置１は、レンズ保持部材５の上下に設けられた板バネ４、８により、ロアケース２側に向けて付勢されている。そして、レンズ駆動装置１は、レンズ保持部材５の巻き付けられたコイル５９が通電されることで、板バネ４、８の付勢力に抗してレンズ保持部材５が光軸方向に移動される。
【００４８】
以下、図７を参照して、レンズ駆動装置の動作について説明する。図７は、本実施の形態に係るレンズ駆動装置の動作説明図である。
【００４９】
図７に示すように、ヨーク７の外周壁部７３の四隅に磁石６が固定され、磁石６の磁極面に対向して内壁部７４が位置されており、レンズ駆動装置１の四隅に磁気回路が形成される。磁石６と内壁部７４との間には、レンズ保持部材５に巻き付けられたコイル５９が介在されている。磁気回路は、磁石６の磁極面に発生した磁束線がコイル５９を通過して内壁部７４に向うように形成されている。レンズ保持部材５は、上板バネ８及び下板バネ４により、ロアケース２側にプリテンションが作用されている。
【００５０】
この初期状態で、コイル５９が通電されると、コイル５９に対して光軸方向に電磁力が発生する。このコイル５９に発生した電磁力により、レンズ保持部材５が、上板バネ８及び下板バネ４の付勢力に抗して光軸方向に移動し、不図示のレンズ体とイメージセンサとの焦点距離が調整される。この場合、ヨーク７の内壁部７４と磁石６の磁極面とが平行であるため、コイル５９を通過する磁束線の量が多く、磁気回路をレンズ駆動装置１の四隅にしか形成していなくても十分な駆動力を発生させることが可能となる。そして、コイル５９に対する通電が停止されると、上板バネ８及び下板バネ４の復帰力により、レンズ保持部材５が初期位置に引き戻される。
【００５１】
以上のように、本実施の形態に係るレンズ駆動装置１によれば、固定片６７における基端側に設けた固定位置Ｐ１と先端側に設けた押圧位置Ｐ３との間に接合位置Ｐ２が設けられるため、外部端子３１に対する固定片６７の接合位置Ｐ２の浮きを防止できる。よって、固定片６７を外部端子３１に対して密着させることができ、板バネ４と外部端子３１とを確実に接合することができる。
【００５２】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５３】
例えば、本実施の形態においては、接合片としての固定片の先端側に開口部を設けて、開口部の基端側の内縁部を接合位置とし、開口部の先端側の内縁部に沿う細幅領域を押圧位置としたが、この構成に限定されない。固定片の先端側に、接合位置を挟んで固定位置の対向側に押圧位置が設けられる構成であればよい。例えば、図８Ａに示すように、固定片１１１の先端側を切り欠いて二股に形成し、二股に分かれた部分にそれぞれ押圧位置Ｐ３を設け、切欠部１１２の基端側の縁部に接合位置Ｐ２を設けてもよい。また、図８Ｂに示すように、固定片１１５の側辺を切り欠いて、切欠部１１６よりも先端側に残存する領域に押圧位置Ｐ３を設け、切欠部１１６の基端側の縁部に接合位置Ｐ２を設けてもよい。
【００５４】
また、本実施の形態においては、開口部が矩形状に形成されたが、この構成に限定されない。開口部は、接合片としての固定片に対して接合位置を形成するものであればよく、例えば、円形状や惰円形状に形成されてもよい。
【００５５】
また、本実施の形態においては、接合片としての固定片の先端側に接合位置と押圧位置とを設けたが、この構成に限定されない。接合位置は、固定位置と押圧位置との間に設けられればよく、例えば、固定位置と押圧位置との中間位置に設けられてもよい。
【００５６】
また、本実施の形態においては、レーザ溶接により下板バネと外部端子とを接合したが、この構成に限定されない。下板バネと外部端子とを接合可能であれば、どのような方法で下板バネと外部端子とが接合されてもよい。
【００５７】
また、本実施の形態において、自動機によりレンズ駆動装置を組み立てる構成としたが、この構成に限定されない。手動によりレンズ駆動装置を組み立てる構成としてもよいし、自動機と手動とを組み合わせてレンズ駆動装置を組み立てる構成としてもよい。
【００５８】
また、本実施の形態において、上記した組み立て順序に限定されるものではない。本実施の形態では、下板バネをロアケースに固定した後に、下板バネを外部端子に接合する構成としたが、この構成に限定されない。固定片の基端側がロアケースに抑えつけられた状態で下板バネを外部端子に接合した後に、下板バネをロアケースに固定してもよい。
【００５９】
また、本実施の形態において、熱カシメにより接合片としての固定片の固定位置がレンズ保持部材に固定されたが、この構成に限定されない。板バネをレンズ保持部材に固定可能であれば、どのような方法で固定してもよい。
【００６０】
また、本実施の形態において、接合片としての固定片の押圧位置がロアケースに押し付けられたが、この構成に限定されない。押圧位置は、接合位置が外部端子に密着するようにロアケース側に押圧されればよい。
【符号の説明】
【００６１】
１  レンズ駆動装置
２  ロアケース（ベース部材）
４  下板バネ（板バネ）
５  レンズ保持部材
６  磁石
７  ヨーク
８  上板バネ
９  トップカバー
３１  外部端子
３２  上板部
４１  バネ片
５９  コイル
６６  直線部
６７  固定片（接合片）
６８  開口部
７７、７８  内縁部
７９  先端領域
９５  治具
【図１】
0005153916.tif 000002
【図２】
0005153916.tif 000003
【図３】
0005153916.tif 000004
【図４】
0005153916.tif 000005
【図５】
0005153916.tif 000006
【図６】
0005153916.tif 000007
【図７】
0005153916.tif 000008
【図８】
0005153916.tif 000009